(57)【特許請求の範囲】
【請求項１】
机の天板下にワゴンの一部分を収めて使用できる昇降天板付きの机用ワゴンにおいて、前記昇降天板に机に作用する固定手段を設け、前記固定手段は、昇降天板の一側端面部に翼又は棒状などの固定片を設けて形成し、前記昇降天板を上昇させたとき当該固定片が机の天板下面に圧着されるようにしたことを特徴とする机用ワゴン。
【請求項２】
机の天板下にワゴンの一部分を収めて使用できる昇降天板付きの机用ワゴンにおいて、前記昇降天板に机に作用する固定手段を設け、前記昇降天板の昇降手段は、ワゴンの側壁と仕切壁の余白部から内部に組込んだ正，逆回転させて昇降するネジ式昇降機構により形成したことを特徴とする机用ワゴン。
【請求項３】
昇降天板は、ワゴンからオーバーハングする大きさに形成した請求項１又は２の机用ワゴン。
【請求項４】
ワゴンの少なくとも左右側壁の上端部は、ワゴンの前後幅より狭い前後幅を有する天繋ぎ板で連結し、前記壁の上端面に余白部を形成した請求項１〜３のいずれかの机用ワゴン。
【発明の詳細な説明】
【技術分野】
【０００１】
本発明は平机などの机の天板下に一部分を収めるようにした高さ調節可能な天板付きの机用ワゴンに関し、より具体的には当該机の天板とワゴンの天板を同面にして使用するようにした机用ワゴンに関する。
【背景技術】
【０００２】
机の天板とワゴン自体の天板を同面にして使用できるようにするため、高さ調節機能を備えた天板（以下、昇降天板ともいう）付きの机用ワゴンは、特許文献１〜４などにより提案されており、中には実用に供されているものもある。
【０００３】
公知の机用ワゴンにおいては、当該ワゴンが備える天板は、ワゴンの奥行き（前後幅）と同じ奥行き幅の天板を備えたものが大半である。その理由は、ワゴンの天板をワゴン本体（キャビネット）の奥行きより大きくすると、当該天板がワゴンの奥行き（前後幅）からオーバーハングすることになるため、その天板の手前端や向う端に手を着いたりしたとき、ワゴンが転倒する虞れがある。このため、従来の机用ワゴンでは、天板の端に手を着くことがあっても、ワゴンが転倒することがないように、天板の奥行き量（前後幅）をワゴンの前後幅に合わせているのである。
【０００４】
一方、机の天板下に入れて使用する上記ワゴンは、その天板と机の天板が一体になって広く利用できる利点がある一方、ワゴン天板の下には筐状のワゴン本体があるため、使用者が自分の足許を狭く感じたり、使用者の脚がワゴンに触れることがあって使い勝手の面で難点もある。
【０００５】
このような点に鑑み、ワゴン本体の前後幅を小さ目に形成する一方、ワゴン天板の前後幅を大きめ、つまり、ワゴン本体の前後幅からオーバーハングした形態にすることにより、この机用ワゴンの天板と組合せる机の天板と同面をなす天板面積を相当に拡大するので、使い勝手の面で優れていることは明らかであるが、上記のような転倒問題があるため、大きくできていないのが現状である。
【先行技術文献】
【特許文献】
【０００６】
【特許文献１】特開平９−１６４０２６号公報
【特許文献２】特開２００４−１０５２７６公報
【特許文献３】特開２００５−０００２９１公報
【特許文献４】特開２００５−０８７２３２公報
【発明の概要】
【発明が解決しようとする課題】
【０００７】
そこで本発明では、公知の机用ワゴンにおける上記のオーバーハング天板の問題、すなわちオーバーハング天板を備えた机用ワゴンの転倒問題を解決した机用ワゴンを提供することを、課題とする。
【課題を解決するための手段】
【０００８】
上記課題を解決することを目的としてなされた本発明机用ワゴンの第一の構成は、机の天板下にワゴンの一部分を収めて使用できる昇降天板付きの机用ワゴンにおいて、前記昇降天板に机に作用する固定手段を設け、前記固定手段は、昇降天板の一側端面部に翼又は棒状などの固定片を設けて形成し、前記昇降天板を上昇させたとき当該固定片が机の天板下面に圧着されるようにしたことを特徴とするものである。
【０００９】
また、上記課題を解決することができる本発明机用ワゴンの第二の構成は、机の天板下にワゴンの一部分を収めて使用できる昇降天板付きの机用ワゴンにおいて、前記昇降天板に机に作用する固定手段を設け、前記昇降天板の昇降手段は、ワゴンの側壁と仕切壁の余白部から内部に組込んだ正，逆回転させて昇降するネジ式昇降機構により形成したことを特徴とするものである。
【００１０】
本発明では、上記構成において、ワゴンの昇降天板を当該ワゴンからオーバーハングする大きさ或は平面形状に形成したものとする。
【００１１】
上記ワゴンの少なくとも左右側壁の上端部は、ワゴンの前後幅より狭い前後幅の天繋ぎ板で連結し、前記壁の上端面に余白部を形成した構成とする。これにより、昇降手段を前記壁の余白部に配置することができる。
【００１２】
従って、本発明における昇降天板の昇降手段は、ワゴンの側壁と仕切壁の内部に組込んだ正，逆回転させて昇降するネジ式昇降機構により形成できる。
【発明の効果】
【００１３】
本発明は、机の天板下にワゴンの一部分を収めて使用できる昇降天板付きの机用ワゴンにおいて、前記昇降天板に机に作用する固定手段を設けたから、昇降天板がワゴンの前後幅からオーバーハングしたものであって、そのオーバーハング部位に手を着いたりして荷重がかかっても、このワゴンが転倒することはない。この利点は、ワゴン本体の前後幅を小さ目に形成してオーバーハング天板を載架した机用ワゴンにおいても同様に得られる。
【００１４】
上記の固定手段は、昇降天板の一側端面部に翼状の固定片を設けて形成し、昇降天板を上昇させたとき当該固定片が机の天板下面に圧着されるようにしたものであるから構造が至ってシンプルであり、従って、動作トラブルや故障を生じることなく、机に机用ワゴンを強固かつ確実に固定することができる。固定片としては、翼状体のほか棒状体などによっても形成してもよい。
【図面の簡単な説明】
【００１５】
【図１】本発明机用ワゴンの一例の正面図。
【図２】図１のワゴンの平面図。
【図３】図１のワゴンの右側面図。
【図４】図１〜図３のワゴンの使用状態の正面図。
【図５】本発明机用ワゴンの別例の正面図。
【図６】図５のワゴンの右側面図。
【発明を実施するための形態】
【００１６】
図１〜図４において、WDは本発明机用ワゴンで、このワゴンWDは図示した例では、略長方形の底板１と、その底板１の左右両側端部に立設した左右の側壁２，３と、この底板１の中間に立設した仕切壁４と、前記各壁２，３，４の上端面において、各壁２〜４の上端部に架設結合された天繋ぎ板５を備えてワゴン本体Wmに形成されている。なお、図１のワゴン本体Wmは、その前後幅を通常サイズのワゴン本体の前後幅（例えば、400〜450mm）よりも小さく（一例として250〜390mm適度に）形成したものである。本発明はワゴン本体の前後幅を小さ目に形成した机用ワゴンにのみ適用されるものではなく、通常サイズの机用ワゴンにも適用できる。なお、６は３枚の壁２，３，４の中間高さにおいて隣り合う各壁間に架設した中間棚板である。この棚板６を固定式とするか、可動式とするかは任意であるが、図の例では固定式で設けている。また、1aは底板１の底面四隅に設けたキャスタである。
【００１７】
ここで、上記の天繋ぎ板５は、底板１と略同長（左右長）であるが、前後幅（図２における上，下方向の幅）が少し狭く形成した板状体により形成されている。従って、この天繋ぎ板５を各壁２〜４のセンター（中心）において架設すると、各壁２〜４の図２における上，下部には、この板５が掛からない余白部が生じる。この余白部には後述するワゴン天板の昇降構成が配設される。
【００１８】
すなわち、天繋ぎ板５は、ワゴン本体Wmの各壁２〜４、つまり、前後幅より小さい幅の板材で形成したので、各壁２〜４に後述する昇降機構Ｌを収装するための余白部を備えることができ、また、この天繋ぎ板５が狭幅なことにより、ワゴン本体Wmの収納部への物品の出入れが行い易い利点がある。
【００１９】
本発明ワゴンWDでは、右側壁３と仕切壁４における上記の余白部を利用して、両壁３，４の上端面から壁の厚み内（内部）に、垂直向きの一例としてネジ式の昇降機構Ｌを余白部の４箇所において収設し、この４箇所の昇降機構Ｌに天板７を載架支持させる構成を採った。ネジ式の昇降機構は、図示しないが、前記余白部に固定されたナット部材と、このナット部材に螺装されて正，逆回転することにより、上昇，降下するネジ杆部材により形成され、ネジ杆部材の上端に後述する本発明ワゴンWDの天板７が支持される。
【００２０】
前記天板７は、ワゴン本体Wmの前後幅（図２における上，下方向での幅）w1より大きい上下方向（図２において）の幅7wを有すると共に、左右幅が右側壁３と仕切壁４の外寸と略同じ位に形成した天板部材を、４箇所の昇降機構Ｌによって天板部材のほぼ四隅を下面から支持させることにより、本発明ワゴンWDにおける昇降天板７に形成されている。
【００２１】
図１において、ワゴン本体Wm右半側に昇降天板７を設けた本発明ワゴンWDは、図４に例示したように、天板７が設けられていない左半側を、一例として平机の天板Dtの下に入れ、昇降天板７を昇降させてその天板７の上面を前記天板Dtの上面に合せた状態で使用する。図４の天板Dtにおいて、Dwは当該天板Dtの下面に配設した配線ダクトである。また、図４の本発明ワゴンWDにおける左側壁２の外面にはワイヤ製のヘルメットホルダ（符号なし）が設けられている。本発明ワゴンにこのような付帯設備を設けるか否かは任意である。
【００２２】
上記のような使用態様は従来の机用ワゴンと同様であるが、本発明ワゴンWDにおいてワゴン本体Wmの前後幅を小さ目に形成したものでは、昇降天板７がワゴン本体Wmの前後幅よりもより大き目にオーバーハングした状態になるから、上記のような天板Dtとの連繋配置状態で使用するとき、オーバーハングした部分に手を着いたりして大きな荷重がかかると、このワゴンWDが向こう側又は手前側に転倒したり傾いたりするおそれがある。この点は、通常サイズの前後幅を有するワゴン本体Wmにオーバーハングする天板７を載架した場合も同様である。
【００２３】
そこで本発明では、昇降天板７に、その面を机の天板面と合致させる昇降作動をさせたとき、両天板面の合致と同時に本発明ワゴンWDを机側に固定（ロック）するようにした。
【００２４】
すなわち、図示した例では昇降天板７の左側下面に、左方へ突出した平板状乃至翼状の固定片８を設け、昇降天板７を少し下げた状態で本発明ワゴンWDの下半側を机の天板Dtの下に入れ、昇降天板７と机の天板Dtとの端面を突合せる。この状態で各昇降機構Ｌを操作して昇降天板７を上昇させ、天板７の上面と机の天板Dtの上面を合致させると、同時に、固定片８の上面が机の天板Dtの下面に押付けられるので、本発明ワゴンWDは前記固定片８が天板Dtに圧着されることによって机（天板Dt）に固定される。固定片８は平板状や翼状のほか、棒状やフォーク爪状などの形態であってもよい。
【００２５】
これによって、昇降天板７のオーバーハング部分に手を着くなどして荷重が掛かることがあっても、このワゴンWDが転倒したり、傾いたりすることは効果的に防止されることとなる。
【００２６】
本発明ワゴンWDにおいて、ワゴン本体Wmに形成される収納部は、仕切壁４を挟んで左右に物品出入れ用の開口部が形成されている。開口部にならない面には、図５，図６に例示するように左右の背板９，10が取付けられる。背板９，10において、9a，10aは通気用、若しくは、デザイン上のアクセントとして列設したパンチング穴である。なお、図５，図６の背板９，10は、穴9a，10aの上，下位置を反転させて取付けることができるように形成されている。
【００２７】
一方、図１，図３に示した背板の例は、図５，図６の例と異なり、背板91，101の高さを、中間棚板６の底板１からの高さより少し大きい程度、即ち、背を低く形成した背板である。この背が低い背板91，101は、図１，図３に示すように、ワゴン本体Wmの中間棚板６に関し、左右で対称的に位置付けて設けている。この結果、背板91又は同101が無い部分はワゴン本体Wmの収納部は前後両面が貫通してオープン（開口）しているため、前後両面から物品出入れ等のためのアクセスが可能である。
【産業上の利用可能性】
【００２８】
本発明ワゴンは以上の通りであって、机の天板下に一部を入れてワゴンの昇降天板と机の天板を同面に使用するようにした机用ワゴンを、前記昇降天板に机に作用するワゴン固定手段を設けた構成としたので、昇降天板をワゴンからオーバーハングする大きさ（平面形状）に形成したワゴンであっても、オーバーハング部分に荷重が掛かって転倒するようなことはない。
【００２９】
また、上記のワゴン固定手段は、昇降天板の一側端面部に翼状などの固定片を設けて形成し、昇降天板を上昇させたとき当該固定片が机の天板下面に圧着されるようにしたものであるから、構造が簡潔であり、従って、容易に製造，提供することができるのみならず、故障もきわめて少なく確実で強固な固定機能を発揮させることができる。
【符号の説明】
【００３０】
WD        本発明ワゴン
Wm        ワゴン本体
１        底板
２，３    左右の側壁
４        仕切壁
５        天繋ぎ板
６        中間棚板
７        昇降天板
８        固定片
９，10、90，101    背板
【図１】
0005430288.tif 000002
【図２】
0005430288.tif 000003
【図３】
0005430288.tif 000004
【図４】
0005430288.tif 000005
【図５】
0005430288.tif 000006
【図６】
0005430288.tif 000007